(57)【要約】      （修正有）【課題】特に新型コロナウイルス等の、未知なウイルスであってワクチンが存在せず、人間が免疫を持っていないウイルスの感染を有効に防止するための飛沫防護用のフェイスシールドを提供する。【解決手段】フェイスシールド１は、透明なプラスチック製のシールド本体２と、シールド本体２の裏面側に配置された、装着する者の額部分に当接するクッション材とクッション材を頭部に固定するためのベルト部材６とを具備した装着部と、を具備し、シールド本体２は、柔軟素材により形成され、上方部分の左右側両端に斜め方向に傾けたスリット３が形成されており、ベルト部材６は、両端部分が互いに連結可能であり、両端部分は、それぞれがスリット３を貫通してシールド本体２の外面側に出た後に、装着する者の頭部の後方において互いに連結され、スリット３を貫通する部分を変更することで、クッション材とシールド本体２との間隔を調整可能とした。【選択図】図１
0003227932.tif 000002
【実用新案登録請求の範囲】
【請求項１】
頭部に装着されて顔の正面側を覆うことで飛沫感染を防止するためのフェイスシールドであって、
透明なプラスチック製のシールド本体（２）と、
該シールド本体（２）の内面側に配置された、装着する者の額部分に当接するクッション材（５）と、装着する者の額部分に当接させた状態の前記クッション材（５）を、頭部に固定するためのベルト部材（６）と、を具備した装着部（４）と、を具備し、
前記シールド本体（２）は、人の顔部分の曲線に沿って湾曲自在な柔軟素材により形成され、上方部分の左右側両端に斜め方向に傾けたスリット（３）が形成されており、
前記ベルト部材（６）は、
両端部分が互いに連結可能であり、
両端部分は、それぞれが前記スリット（３）を貫通してシールド本体（２）の外面側に出た後に、装着する者の頭部の後方において互いに連結され、スリット（３）を貫通する部分を変更することで、クッション材（５）とシールド本体（２）との間隔を調整可能とした、ことを特徴としたフェイスシールド。
【請求項２】
前記シールド本体（２）は、少なくとも表面に光触媒層を具備したことを特徴とする請求項１に記載のフェイスシールド。
【請求項３】
前記ベルト部材（６）は、先端部に互いに脱着自在の面ファスナー（７）を備えたことを特徴とする請求項１又は請求項２に記載のフェイスシールド。
【考案の詳細な説明】
【技術分野】
【０００１】
本考案は飛沫感染を防止するためのフェイスシールドに係り、より詳しくは、頭部の大きさに影響されずにフィットするとともに息苦しさも無いフェイスシールドに関する。
【背景技術】
【０００２】
従来、医師、看護師等の医療従事者や理美容師、あるいは食品を扱う者は、インフルエンザウイルス等の飛沫感染を防止するために、フェイスシールドを付ける場合があった。
【０００３】
そして、このフェイスシールドを付けることにより、対面している相手方に飛沫が飛ぶことを有効に防止することが可能となった。
【先行技術文献】
【特許文献】
【０００４】
【特許文献１】特開２０１２−８１２３３号公報
【特許文献２】実用新案登録第３１７５２６９号公報
【特許文献２】特開２００９−１８９５４３号公報
【特許文献３】特開２００６−５７２０２号公報
【考案の概要】
【考案が解決しようとする課題】
【０００５】
ところで、西暦２０２０年（令和２年）における２月頃から、新型のコロナウイルスが世界的に大流行して多数の感染者、死者が発生しているが、このウイルスは新型のためにワクチンも存在していない。そのために感染を防止するために世界的に都市封鎖が行われている。
【０００６】
そして、日本においても、特に医師、看護師等の医療従事者や理美容師、食品を扱う者、あるいは不特定の多数人に対して発表等を行う者は、飛沫感染を防止するために、フェイスシールドを付けることが多くなっている。
【０００７】
しかしながら、従来のフェイスシールドでは、装着している者に息苦しさを与えるとともに、シールド部が曇り易いという問題点があった。即ち、従来のフェイスシールドは、人の顔部分の曲線に沿って顔の正面側を覆う湾曲したシールド部と、このシールド部を頭部に装着するためのベルトを有しており、シールド部の裏面には、額に当接するスポンジ等のクッション材が装着され、シールド部とクッション材が一体となっていた。そのために、これを装着した場合には、クッション材とシールド部によって顔の正面側が密閉空間になり、これにより、装着している者が息苦しくなり、更に、シールド部が曇り易かった。
【０００８】
そのために、飛沫防止のために必要であるにもかかわらず、長時間の使用には不向きであるために、装着した状態での長時間の作業等は困難であった。
【０００９】
そこで、本考案は、特に新型コロナウイルス等の、未知なウイルスであってワクチンが存在せず、人間が免疫を持っていないウイルスの飛沫感染を有効に防止するための飛沫防護用のフェイスシールドにおいて、装着している者が息苦しくないとともにシールド部が曇ることも無く、長時間に亘って装着することが可能なフェイスシールドを提供することを課題としている。
【課題を解決するための手段】
【００１０】
本考案のフェイスシールドは、
頭部に装着されて顔の正面側を覆うことで飛沫感染を防止するためのフェイスシールドであって、
透明なプラスチック製のシールド本体と、
シールド本体の内面側に配置された、装着する者の額部分に当接するクッション材と、装着する者の額部分に当接させた状態のクッション材を頭部に固定するためのベルト部材と、を具備した装着部と、を具備し、
シールド本体は、人の顔部分の曲線に沿って湾曲自在な柔軟素材により形成され、上方部分の左右側両端に斜め方向に傾けたスリットが形成されており、
ベルト部材は、
両端部分が互いに連結可能であり、
両端部分は、それぞれが前記スリットを貫通してシールド本体の外面側に出た後に、装着する者の頭部の後方において互いに連結され、スリットを貫通する部分を変更することで、クッション材とシールド本体との間隔を調整可能とした、ことを特徴としている。
【考案の効果】
【００１１】
本考案のフェイスシールドでは、顔の正面側を覆うシールド本体を有しており、このシールド本体は、人の顔部分の曲線に沿って湾曲自在な柔軟素材により形成されるとともに、上方部分の左右側両端に斜め方向に傾けたスリットが形成されている。そして、このシールド本体の内面側には装着部が配置されており、この装着部は、装着する者の額部分に当接するクッション材と、このクッション材を、装着する者の額部分にした状態で頭部に固定するためのベルト部材を具備している。
【００１２】
そして、ベルト部材の両端部分がそれぞれ、シールド本体に形成したスリットを貫通してシールド本体の外面側に出た後に、装着する者の頭部の後方において互いに連結されることで、本考案のフェイスシールドが頭部に装着されることとしている。
【００１３】
従って、本考案のフェイスシールドでは、額部分に当接されるクッション材とシールド本体が別部品となっており、クッション材とシールド本体間には任意の間隔をあけることが可能となっている。そして、ベルトがスリットを貫通する部分を変更することで、クッション材とシールド本体との間隔を調整可能としている。
【００１４】
そのために、シールド部とクッション材が一体となっている従来のフェイスシールドと異なり、装着している者が息苦しくないとともにシールド部が曇ることも無く、長時間に亘って装着することが可能である。
【図面の簡単な説明】
【００１５】
【図１】本考案のフェイスシールドの実施例の正面図である。
【図２】本考案のフェイスシールドの実施例の平面図である。
【図３】本考案のフェイスシールドの実施例におけるシールド本体を説明するための図である。
【図４】本考案のフェイスシールドの実施例における装着部を説明するための図である。
【考案を実施するための形態】
【００１６】
本考案のフェイスシールドは、頭部に装着されて顔の正面側を覆うことで飛沫感染を防止するためのフェイスシールドであって、透明なプラスチック製のシールド本体を有している。そして、このシールド本体は、人の顔部分の曲線に沿って湾曲自在な柔軟素材により形成されており、上方部分の左右側両端に斜め方向に傾けたスリットが形成されている。
【００１７】
また、このシールド本体の内面側には、装着部が配置されており、この装着部は、装着する者の額部分に当接するクッション材と、このクッション材を、装着する者の額部分に当接させた状態で装着する者の頭部に固定するためのベルト部材を具備している。
【００１８】
そして、ベルト部材は、両端部分が互いに連結可能であり、この両端部分は、それぞれがシールド本体に形成したスリットを貫通しており、スリットを貫通してシールド本体の外面側に出た後に、装着する者の頭部の後方において互いに連結され、これにより、クッション材を額部分に当接させた状態で固定するとともに、シールド本体を頭部に固定することを可能にしている。また、スリット部とベルト部材との貫通箇所を変更することで、クッション材とシールド本体との間隔を調整可能としている。
【００１９】
ここで、前記シールド本体は、少なくとも表面に光触媒層を具備するとよく、これによって、シールド本体に付着したウイルスを分解除去する機能が期待される。
【００２０】
また、ベルト部材は、先端部に互いに脱着自在の面ファスナーを備えるとよく、これにより容易にベルト部材の先端部を互いに連結することが可能である。
【実施例１】
【００２１】
本考案のフェイスシールドの実施例について図面を参照して説明すると、図１は本実施例のフェイスシールドの正面図、図２が平面図であり、図において１が本実施例のフェイスシールドである。
【００２２】
そして、本実施例のフェイスシールド１は、頭部に装着されて顔の正面側を覆うことで飛沫感染を防止するためのフェイスシールドであって、顔の正面側を覆うシールド本体を有している。
【００２３】
即ち、図１において２がシールド本体であり、また図３はシールド本体２を示す図である。そして、本実施例において前記シールド本体２は、人の顔部分の曲線に沿って湾曲自在な柔軟素材により形成されており、本実施例においては、透明なプラスチック製としている。そして、縦長の四角形状の素材のシート材を、人の顔部分の曲線に沿うように湾曲させて使用することとしている。また、上方部分の左右側両端近傍にはスリット３が形成されており、このスリット３は、斜め下方に向けた形状とし、２個でハ字状としている。但し、スリット３は逆ハ字状としてもよく、また、シールド本体２の素材は、ＰＰ、ＰＥＴ、ポリウレタン、ナイロン等、いずれでも良い。
【００２４】
なお、本実施例において前記シールド本体２は、少なくとも表面に、光触媒層を具備している。そのため、シールド本体２の表面にウイルス等が付着した場合でも、光触媒の有する除菌、抗ウイルス機能により、ウイルス等を除去することが期待される。そして、シールド本体２に光触媒層を具備する方法としては、光触媒のスプレーや塗料によって、シールド本体２に噴霧、塗布することで光触媒層を具備する方法が考えられるが、シールド本体２に光触媒層を具備することが可能であればいずれの方法を採用しても良い。光触媒層を具備する箇所に関しても、必ずしも表面には限定されず、シールド本体２の裏面にも光触媒層を具備しても良い。
【００２５】
また、光触媒の種類は特に限定されないが、本実施例では、光触媒としてチタンアパタイトを用いている。周知のようにチタンアパタイトは、富士通研究所と東京大学先端科学技術研究センターの共同研究で開発されたもので、アパタイト結晶中に酸化チタンを導入して製造され、有機物を確実に吸着するアパタイトの機能と、吸着した有機物を水と二酸化炭素にまで完全に酸化分解する酸化チタンの効果を併せ持つものである。そのために、本実施例ではシールド本体２が埃、塵、菌、有害物質等の有機物を吸着し、確実に酸化分解することができるので、ウイルスの飛沫感染から防護することが期待される。
【００２６】
次に、図１において４は、前記シールド本体２を頭部に装着するための装着部であり、図４は前記装着部４を斜め上側から示した斜視図である。即ち、本実施例においては、前記シールド本体２は、前記装着部４によって装着する者の頭部に固定することを可能としている。
【００２７】
前記装着部４について図２、４を参照して説明すると、図において５はクッション材である。即ち、本実施例において前記装着部４は、装着する者の額部分に当接するクッション材５を有しており、このクッション材５は、スポンジ等の柔軟性、弾力性のある柔らかい素材で形成されている。そして、本実施例においては、装着者の額部分に十分に当接されるように、細長の直方体形状としている。
【００２８】
次に、図において６はベルト部材であり、前記クッション材５は、ベルト部材６によって頭部に固定されることとしている。即ち、前記ベルト部材６は、プラスチック製の薄い細長い板状としており、装着する者の頭部に十分に巻きつけることが可能な長さとし、更に先端部分にはそれぞれ、面ファスナー等の連結部材７が備えられ、これにより先端部分は互いに連結可能としている。
【００２９】
そして、このベルト部材６の中央部分の裏面側に前記クッション材５が接着等で装着され、クッション材５を装着する者の額部分に当接し、その状態でベルト部材６を、装着する者の頭部の後方に回して、その後にベルト部材の両端部分を互いに連結することで、クッション材５を、装着者の額部分に固定することを可能としている。
【００３０】
また、前記装着部４は、図２からも明らかなように、前記シールド本体２の裏面側に配置されている。そして、前記ベルト部材６は、前記シールド本体２の裏面側から表面側へ向けて、シールド本体２に形成したスリット３を貫通しており、貫通した後に、装着する者の頭部の後方に回し、両端部分を互いに連結することとしている。従ってそれにより、シールド本体２は、ベルト部材６に、吊られる形態で支持されることとなる。そのため、前記シールド本体２は、前記装着部４によって、装着する者の頭部に固定されることになるとともに、シールド本体２とクッション材５間には、図２に示すように、クリアランス８が形成されることとなる。従って、このクリアランス８の存在により、シールド部とクッション材が一体となっている従来のフェイスシールドと異なり、装着している者が息苦しくないとともに、シールド本体部が曇ることも防止可能である。
【００３１】
更に、フェイスシールド１を頭部に装着しているときに、ベルト部材６がシールド本体２のスリット３を貫通する箇所を調整することで、シールド本体２とクッション材５間のクリアランス８を調整することが可能である。例えばシールド本体２とクッション材５間にクリアランス８が形成されている状態において、シールド本体２の左右側の端部分を装着者側に押し込むようにして、ベルト部材６がスリット３を貫通する箇所をベルト部材６の先端側に移動すると、シールド本体２の正面がベルト部材６側に移動し、シールド本体２とクッション材５間のクリアランス８を狭くすることが可能である。従って、周囲温度等に応じて、ベルト部材６がシールド本体２のスリット３を貫通する箇所を変更してクリアランス８を調整することで、装着している者が息苦しくなったり、シールド本体部が曇ったりすることを有効に防止できる。
【００３２】
そして本実施例では、前記スリット３を斜め方向に向けて形成しているために、スリット３を貫通しているベルト部材６には適度なテンションがかかり、使用中に勝手に、ベルト部材６がシールド本体２のスリット３を貫通する箇所が移動してしまうこともなく、クリアランス８の間隔を保持することが可能である。
【００３３】
次に、このように構成される本実施例のフェイスシールドの作用について説明すると、本実施例のフェイスシールドを装着するときは、ベルト部材６がシールド本体２の裏面側から表面側へ向けてスリット３を貫通させた状態において、クッション材５を額部分に当接した状態で、ベルト部材６の先端部分を頭部の後方に回し、連結部材７によってベルト部材６の先端部分を互いに連結する。
【００３４】
そうすると、クッション材５を額部分に当接した状態で装着部４を頭部に固定することができるとともに、更に、スリット３をベルト部材６が貫通しているために、シールド本体２をベルト部材６で支持することができ、それによりシールド本体２を頭部に固定することができる。
【００３５】
更にそのとき、シールド本体２とクッション材５が別部品であり、シールド本体２とクッション材５間にクリアランス８が形成されるため、シールド部とクッション材が一体となっている従来のフェイスシールドと異なり、装着している者が息苦しくないとともに、シールド本体部が曇ることも防止可能である。
【００３６】
更にまた、ベルト部材６がシールド本体２のスリット３を貫通する箇所を調整することで、シールド本体２とクッション材５間のクリアランス８を調整することも可能である。
【００３７】
このように、本実施例のフェイスシールドを用いることにより、特に新型コロナウイルス等の未知なウイルスであってワクチンが存在せず、人間が免疫を持っていないウイルスの飛沫感染を有効に防止しつつ、接客業務等に従事することが可能となる、
【産業上の利用可能性】
【００３８】
本考案のフェイスシールドは、装着する者が息苦しくなったりシールド部分が曇ったりすることを防止しつつ、ウイルス等の飛沫感染を有効に防止することが可能であるために、飛沫感染を防止するためのフェイスシールドの全般に適用可能である。
【符号の説明】
【００３９】
１    フェイスシールド
２    シールド本体
３    スリット
４    装着部
５    クッション材
６    ベルト部材
７    連結手段
８    クリアランス
【図１】
0003227932.tif 000003
【図２】
0003227932.tif 000004
【図３】
0003227932.tif 000005
【図４】
0003227932.tif 000006